(57)【要約】【課題】スタックやマルチ投射といった場合に、投射画像を重ねるために、ズームの微小調整が必要となる。しかし通常の操作においては早く画角を合わせたい。粗調と微小調整が切り替えられることが必要となる。【解決手段】ズームを有するレンズにおいて、ズームの粗調整と微調整の切り替え手段を有したことを特徴する。【選択図】図１
2017068177.tif 000002
【特許請求の範囲】
【請求項１】
ズームを有するレンズにおいて、
ズームの粗調整と微調整の切り替え手段を有したことを特徴するプロジェクタの投射レンズ。
【請求項２】
前記ズームの粗調整と微調整の切り替えは、操作リングを光軸方向に移動させることで行うことを特徴とする請求項１に記載のプロジェクタの投射レンズ。
【請求項３】
構成の主となる固定鏡筒と、
ズームのための移動群と、
移動群の位置を制御するためのカム環と、
カム環に力を伝えるためのズーム操作リングと
カム環とズーム操作リングの間を繋ぐピンを有するレンズにおいて、
ズーム操作リングとカム環を繋ぐギヤをも有し、
前記操作リングは光軸方向に位置を変えることで、ピンからギヤへと連結の切り替えを可能としたことを特徴とするプロジェクタの投射レンズ。
【請求項４】
前記ギヤは減速ギヤであることを特徴とする請求項３に記載のプロジェクタの投射レンズ。
【請求項５】
前記ギヤは投射レンズの下方に配置されることを特徴とする請求項３に記載のプロジェクタの投射レンズ。
【発明の詳細な説明】
【技術分野】
【０００１】
本発明は、プロジェクタの特に投射レンズに関する。
【背景技術】
【０００２】
従来、プロジェクタの投射レンズは、小型、軽量、低コストと使用頻度から、フォーカス・ズーム調節の方法が手動のものがある。
【０００３】
特許文献１には、プロジェクタの投射レンズが手動操作であることが示されている。また特許文献２には、カメラ撮影用レンズのフォーカスの電動と手動を切り替え可能とした例が示されている。また明るいプロジェクタは近距離から遠距離まで投射できることとゆう特性を生かすために、ズーム倍率が高倍率になる傾向にある。
【先行技術文献】
【特許文献】
【０００４】
【特許文献１】特開２０１０−１２２２９０号公報
【特許文献２】特開２００４−１４５０３７号公報
【発明の概要】
【発明が解決しようとする課題】
【０００５】
しかしながら、上述の特許文献1に開示された従来技術では、ズーム倍率が小さいうちは特に問題ないが、ズーム倍率が高くなるに従って、手動操作が困難となってきてしまうとゆう問題がある。これは、ズーム倍率が高くなることで、カム環のカムカーブの傾斜角度が大きくなり、よりズーム操作リングを回す時の抵抗が増大してしまうことによるものである。またプロジェクタ特有の使い方でスタックやマルチ投影といった画像同士を重ね合わせる投射方法の場合は、非常に細かな画角調整を行うので、ズーム操作リングに対する操作性は軽くて微調整が可能であることが求められる。
【０００６】
そこで、本発明の目的は、高倍率なズームレンズを搭載しながらも、軽くて微調整容易なズーム操作性を可能としたプロジェクタを提供することにある。
【課題を解決するための手段】
【０００７】
上記の目的を達成するために、本発明に係るプロジェクタの投射レンズは、
ズームを有するレンズにおいて、
ズームの粗調整と微調整の切り替え手段を有したことを特徴する。
【発明の効果】
【０００８】
本発明に係るプロジェクタの投射レンズによれば、急いで大まかに投射サイズ調整を行いたい場合の粗調整と、スタックやマルチ調整など、液晶パネルの画素サイズレベルまで調整を行いたい場合の微調整状態に切り替えることで調整を可能としたものである。また微調整モードに切り替えることで、上向きや下向き投射時にレンズ重量によりカム環が回され、レンズ群が自重落下することをも防止できる。
【図面の簡単な説明】
【０００９】
【図１】第1の実施例を表す断面図で粗調状態
【図２】第１の実施例の減速ギヤ周辺の斜視図
【図３】第1の実施例の投射レンズの外観図
【図４】第1の実施例のピン周辺の拡大図
【図５】第1の実施例を表す断面図で微調状態
【発明を実施するための形態】
【００１０】
以下に、本発明の好ましい実施の形態を、添付の図面に基づいて詳細に説明する。
【００１１】
図１は本発明の実施形態にかかわる投射レンズの断面図である。
【００１２】
1は1群レンズ、2は2群レンズ、3は3群レンズ、4は4群レンズである。5は1群レンズ枠、6は2群レンズ枠、7は3群レンズ枠、8は4群レンズ枠である。9は固定鏡筒で、本レンズユニットの基本となる構造体である。10は2から4のレンズ群の位置を制御するためのカム環である。11はズーム操作リングで、10のカム環を回すための部材である。12はカム環と固定鏡筒と6〜8のレンズ群枠を結びつけるコロである。13は12のコロを6から8の移動枠に取り付けるためのビスである。
【００１３】
例えば、6の2群レンズ枠に13のビスで12のコロが取り付けられている。12のコロは6の2群レンズ枠の外周3か所に取り付けられている。このコロは10のカム環のカム溝に勘合し、なおかつ9の固定鏡筒の直進溝にも勘合している。この2つの溝に勘合することであたかも穴勘合した状態となる。この3か所の勘合により6の2群枠の6軸方向の位置が決まる。7の3群枠、8の4群枠も同様である。14はカムピンで、11のズーム操作リングの力を10のカム環に伝える部材である。
【００１４】
図２は本発明の特徴となる減速機構を示す斜視図である。
【００１５】
15は減速ギヤで、11のズーム操作リングの力を10のカム環に伝える部材である。16はギヤで、15の減速ギヤの回転軸である。17はギヤ板で16のギヤ軸を保持する部材である。18は平ビスで17のギヤ板を9の固定鏡筒に固定するためのビスである。19はＥリングで、15の減速ギヤの抜け止めのためのものである。
【実施例１】
【００１６】
以下、図1を参照して、本発明の第1の実施例による、粗調整状態について説明する。
【００１７】
５の1群レンズ枠はヘリコイドネジが付いており、回転することで光軸方向に移動する。これによりフォーカス調整を行うもので、スクリーン位置にピントを合わせるものである。一方11はズーム操作リングであり、回転させることで画像サイズを変倍しズーミングを行うための部材である。図1は粗調可能状態を示すもので、11の操作リングを回すと、力は14のカムピンに伝えられ、これにより10のカム環を回転させる。これにより、2〜4のレンズ群が所定の位置に移動してズーミングされる。これは通常のズーム調整を行う時の状態で早く所望の画角に設定できる。
【００１８】
図３はレンズ外観を示すもので、図４はその一部の拡大図である。
【００１９】
11の操作リングには多数の溝11aが設けられており、14のカムピンと嵌め合い状態になる。この状態の時が粗調整状態である。
【００２０】
一方、図５は微小調整可能な状態で11のズーム操作リングが前方にスライドされている。これにより、11のズーム操作リングの内径ギヤ部である11ｇ部と、15の減速ギヤが噛み合い、カム環内径ギヤ部の10ｇ部に力が伝わり、10のカム環を回転させるものである。この状態で11のズーム操作リングを回転させると、わずかな力で微小にズーミングするので、ズームの微小調整を可能とするものである。
【００２１】
粗調整状態の戻したい場合は、11の操作リングを後方にスライドさせることで図1状態になり、粗調可能とするものである。なお11ａの溝部が多数設けられているのは、できるだけ早く切り替えできるようにしたものである。
【００２２】
また、図５の微小調節状態にすると、上向きなどレンズの重さがカム環に掛った場合でも、減速の関係にあるので、容易にズーム操作リングが回転せず、いわゆる自重落下を防止するものである。
【００２３】
15の減速ギヤが、鏡筒内に設けられているが、これはプロジェクタの投射レンズの特性を生かした配置となっている。通常プロジェクタは画像を上方向に投射するいわゆるシフトした状態がほとんどである。投射レンズ光軸中心が画像の下端にある50％シフト状態で使用するような投射レンズがほとんどである。この場合投射レンズ内の光線は、前側の群においては上方のみ通過するようになっており、下方は光線が通過しない。この特性を生かして、減速ギヤを下方に配置し投射レンズ全体の小型化を図るものである。装置内に包含されることになる投射レンズの外形はセット大きさに影響するので極力外形にはみ出さない構成が望ましい。
【００２４】
上記により、通常の素早い粗調整状態と、軽い力で微小調整を行う状態とを切り替えられ、かつ装置全体が大型化避けることができるものである。
【符号の説明】
【００２５】
１  １群レンズ、２  ２群レンズ、３  ３群レンズ、４  ４群レンズ、
５  １群レンズ枠、６  ２群レンズ枠、７  ３群レンズ枠、８  ４群レンズ枠、
９  固定鏡筒、１０  カム環、１１  ズーム操作リング、１２  コロ、１３  ビス、
１４  カムピン、１５  減速ギヤ、１６  ギヤ軸、１７  ギヤ板、１８  平ビス、
１９  Ｅリング
【図１】
2017068177.tif 000003
【図２】
2017068177.tif 000004
【図３】
2017068177.tif 000005
【図４】
2017068177.tif 000006
【図５】
2017068177.tif 000007